(57)【特許請求の範囲】
【請求項１】
開口部に設けられたサッシ枠と、該サッシ枠に引き違い状にスライド可能に支持される室外側サッシ障子および室内側サッシ障子を備えるサッシ障子と、を有するサッシ構造において、
前記サッシ枠は、前記開口部を閉鎖している状態の前記室外側サッシ障子の戸先框と近接して対向する第１枠部と、前記開口部を閉鎖している状態の前記室内側サッシ障子の戸先框と近接して対向する第２枠部と、を有し、
前記第１枠部および前記第２枠部は、それぞれ金属枠と、該金属枠を覆う樹脂枠と、を有し、
前記室外側サッシ障子の前記戸先框および前記室内側サッシ障子の前記戸先框は、それぞれ金属框と、該金属框の室内側の面を覆う樹脂カバーと、を有し、
前記開口部を閉鎖している状態の前記室外側サッシ障子における前記戸先框の前記金属框と、前記第１枠部の前記金属枠との間、および前記開口部を閉鎖している状態の前記室内側サッシ障子における前記戸先框の前記金属框と、前記第２枠部の前記金属枠との間のそれぞれには、パッキンが配置され、
前記開口部を閉鎖している状態の前記室外側サッシ障子の前記戸先框の前記樹脂カバーおよび前記第１枠部の前記樹脂枠には、それぞれの少なくとも一部に前記パッキンよりも室内側において所定の間隔をあけて互いに対向する第１対向面が形成され、
前記第１枠部の第１対向面および前記室外側サッシ障子の第１対向面の少なくとも一方の第１対向面には、他方の第１対向面側へ突出する第１ヒレ部が設けられ、
前記開口部を閉鎖している状態の前記室内側サッシ障子の前記戸先框の前記樹脂カバーおよび前記第２枠部の前記樹脂枠には、それぞれの少なくとも一部に前記パッキンよりも室内側において所定の間隔をあけて互いに対向する第２対向面が形成され、
前記第２枠部の第２対向面および前記室内側サッシ障子の第２対向面の少なくとも一方の第２対向面には、他方の第２対向面側へ突出する第２ヒレ部が設けられ、
前記第１ヒレ部は、前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲するとともに、前記室外側サッシ障子が前記開口部を閉鎖している状態において、前記一方の第１対向面と前記他方の第１対向面との間の空気の流入を抑制し、
前記第２ヒレ部は、前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲するとともに、前記室内側サッシ障子が前記開口部を閉鎖している状態において、前記一方の第２対向面と前記他方の第２対向面との間の空気の流入を抑制することを特徴とするサッシ構造。
【請求項２】
前記開口部を閉鎖している状態の前記室外側サッシ障子の第１対向面と前記第１枠部の第１対向面との間には、室内空間と連続する第１隙間が形成され、
前記第１ヒレ部は、前記第１枠部の第１対向面に設けられて、前記第１隙間に配置され、前記第１先端部が前記第１基端部よりも見付方向における前記第１枠部の前記金属枠に近い側に位置し、
前記開口部を閉鎖している状態の前記室内側サッシ障子の第２対向面と前記第２枠部の第２対向面との間には、室内空間と連続する第２隙間が形成され、
前記第２ヒレ部は、前記第２枠部の第２対向面に設けられて、前記第２隙間に配置され、前記第２先端部が前記第２基端部よりも見付け方向における前記第２枠部の前記金属枠に近い側に位置していることを特徴とする請求項１に記載のサッシ構造。
【請求項３】
前記室外側サッシ障子の前記戸先框の前記第１対向面は、前記室外側サッシ障子の前記戸先框の室内側の端部近傍に配置され、前記第１枠部の前記第１対向面は、前記第１枠部における前記室外側サッシ障子の前記戸先框よりも室内側に位置する部分に配置されて、前記室内側サッシ障子の前記戸先框の前記第２対向面は、前記室内側サッシ障子の前記戸先框の室内側の端部近傍に配置され、前記第２枠部の前記第２対向面は、前記第２枠部における前記室内側サッシ障子の前記戸先框よりも室内側に位置する部分に配置されていることを特徴とする請求項１または２に記載のサッシ構造。
【請求項４】
前記第１ヒレ部は、前記室外側サッシ障子が前記開口部を閉鎖している状態において、前記他方の第１対向面と一定の間隔をあけるように配置され、前記第２ヒレ部は、前記室内側サッシ障子が前記開口部を閉鎖している状態において、前記他方の第２対向面と一定の間隔をあけるように配置されていることを特徴とする請求項１乃至３のいずれか一項に記載のサッシ構造。
【発明の詳細な説明】
【技術分野】
【０００１】
本発明は、サッシ枠とサッシ障子の戸先框とのサッシ構造に関する。
【背景技術】
【０００２】
従来、サッシ枠およびサッシ障子の框に、アルミニウムなどの金属と樹脂とを用いた複合サッシが知られている（例えば、特許文献１参照）。このような複合サッシを用いることで、断熱性能を高めることができるとともに、室内側の意匠性を高めることができる。
【先行技術文献】
【特許文献】
【０００３】
【特許文献１】特開２００５−２７３２３１号公報
【発明の概要】
【発明が解決しようとする課題】
【０００４】
ところで、引違サッシのサッシ枠の縦枠には、開口部の内側に向かって突出するアルミニウムなどの金属を材料として形成された突出片が設けられている。そして、この突出片は、サッシ障子が開口部を閉鎖した状態において、サッシ障子の戸先框に形成されて中間振れ止めが設けられた溝部に挿入され、先端部が中間振れ止めと当接し、側部に溝部近傍に設けられたパッキンが当接するように構成されている。そして、突出片の側部にパッキンが当接することで室内外の気密が保持されている。
なお、サッシ障子が開口部を閉鎖した状態では、縦枠と戸先框との間には、突出片と中間振れ止めおよびパッキンとが当接している部分以外に隙間が形成されている。また、この突出片は、室内外の境界部分に設けられているため、基端側の室外側の面には室外の空気が接し、室内側の面には室内の空気が接している。
【０００５】
また、突出片は、アルミニウムなどの金属で形成されていることが多いため、室外の温度が低いと冷却されてしまい、縦枠と戸先框との隙間に入り込んだ室内の暖かい空気が、突出片によって冷却され、突出片の室内側で結露が生じたり、結露した水の凍結が生じたりする虞がある。
【０００６】
そこで、本発明は、室内の空気がサッシ枠と戸先框との隙間に入り込んで結露したり、結露した水が凍結したりすることを抑制できるサッシ構造を提供することを目的とする。
【課題を解決するための手段】
【０００７】
上記目的を達成するため、開口部に設けられたサッシ枠と、該サッシ枠に引き違い状にスライド可能に支持される室外側サッシ障子および室内側サッシ障子を備えるサッシ障子と、を有するサッシ構造において、前記サッシ枠は、前記開口部を閉鎖している状態の前記室外側サッシ障子の戸先框と近接して対向する第１枠部と、前記開口部を閉鎖している状態の前記室内側サッシ障子の戸先框と近接して対向する第２枠部と、を有し、前記第１枠部および前記第２枠部は、それぞれ金属枠と、該金属枠を覆う樹脂枠と、を有し、前記室外側サッシ障子の前記戸先框および前記室内側サッシ障子の前記戸先框は、それぞれ金属框と、該金属框の室内側の面を覆う樹脂カバーと、を有し、前記開口部を閉鎖している状態の前記室外側サッシ障子における前記戸先框の前記金属框と、前記第１枠部の前記金属枠との間、および前記開口部を閉鎖している状態の前記室内側サッシ障子における前記戸先框の前記金属框と、前記第２枠部の前記金属枠との間のそれぞれには、パッキンが配置され、前記開口部を閉鎖している状態の前記室外側サッシ障子の前記戸先框の前記樹脂カバーおよび前記第１枠部の前記樹脂枠には、それぞれの少なくとも一部に前記パッキンよりも室内側において所定の間隔をあけて互いに対向する第１対向面が形成され、前記第１枠部の第１対向面および前記室外側サッシ障子の第１対向面の少なくとも一方の第１対向面には、他方の第１対向面側へ突出する第１ヒレ部が設けられ、前記開口部を閉鎖している状態の前記室内側サッシ障子の前記戸先框の前記樹脂カバーおよび前記第２枠部の前記樹脂枠には、それぞれの少なくとも一部に前記パッキンよりも室内側において所定の間隔をあけて互いに対向する第２対向面が形成され、前記第２枠部の第２対向面および前記室内側サッシ障子の第２対向面の少なくとも一方の第２対向面には、他方の第２対向面側へ突出する第２ヒレ部が設けられ、前記第１ヒレ部は、前記開口部を閉鎖している状態の前記室外側サッシ障子の第１対向面と前記第１枠部の第１対向面との間のみに位置し、第１基端部と第１先端部との間に第１屈曲部を有し、前記第１屈曲部よりも前記第１先端部までの部分が前記第１屈曲部よりも前記一方の第１対向面側に位置するように屈曲するとともに、前記室外側サッシ障子が前記開口部を閉鎖している状態において、前記一方の第１対向面と前記他方の第１対向面との間の空気の流入を抑制し、前記第２ヒレ部は、前記開口部を閉鎖している状態の前記室内側サッシ障子の第２対向面と前記第２枠部の第２対向面との間のみに位置し、第２基端部と第２先端部との間に第２屈曲部を有し、前記第２屈曲部よりも前記第２先端部までの部分が前記第２屈曲部よりも前記一方の第２対向面側に位置するように屈曲するとともに、前記室内側サッシ障子が前記開口部を閉鎖している状態において、前記一方の第２対向面と前記他方の第２対向面との間の空気の流入を抑制することを特徴とする。
【０００８】
本発明では、サッシ枠の対向面および戸先框の対向面の少なくとも一方の対向面には、他方の対向面側へ突出するヒレ部が設けられていることにより、サッシ枠と戸先框との隙間と室内の空間との空気の流通が少なくなるため、サッシ枠と戸先框との隙間に室内の空気が入り込むことを抑制できる。
このため、室内外の温度差が大きい場合に、サッシ枠と戸先框との隙間に入り込んだ室内の暖かい空気が、室外の冷気によって冷却されたサッシ枠の突出部によって冷却されて結露したり、結露した水が凍結したりすることを抑制できる。
また、ヒレ部によって、サッシ枠と戸先框との隙間と、室内とを断熱できるため、サッシの断熱性能を向上させることができる。
【０００９】
また、本発明に係るサッシ構造では、前記開口部を閉鎖している状態の前記室外側サッシ障子の第１対向面と前記第１枠部の第１対向面との間には、室内空間と連続する第１隙間が形成され、前記第１ヒレ部は、前記第１枠部の第１対向面に設けられて、前記第１隙間に配置され、前記第１先端部が前記第１基端部よりも見付方向における前記第１枠部の前記金属枠に近い側に位置し、前記開口部を閉鎖している状態の前記室内側サッシ障子の第２対向面と前記第２枠部の第２対向面との間には、室内空間と連続する第２隙間が形成され、前記第２ヒレ部は、前記第２枠部の第２対向面に設けられて、前記第２隙間に配置され、前記第２先端部が前記第２基端部よりも見付け方向における前記第２枠部の前記金属枠に近い側に位置していることが好ましい。
このような構成とすることにより、より室内側でサッシ枠と戸先框との隙間に室内の空気が入り込むことを防止できるため、サッシ枠と戸先框との隙間に室内の空気がより入りにくい構造とすることができる。
【００１０】
また、本発明に係るサッシ構造では、前記室外側サッシ障子の前記戸先框の前記第１対向面は、前記室外側サッシ障子の前記戸先框の室内側の端部近傍に配置され、前記第１枠部の前記第１対向面は、前記第１枠部における前記室外側サッシ障子の前記戸先框よりも室内側に位置する部分に配置されて、前記室内側サッシ障子の前記戸先框の前記第２対向面は、前記室内側サッシ障子の前記戸先框の室内側の端部近傍に配置され、前記第２枠部の前記第２対向面は、前記第２枠部における前記室内側サッシ障子の前記戸先框よりも室内側に位置する部分に配置されていることが好ましい。
このような構成とすることにより、ヒレ部がサッシ枠の突出片とより離間するため、室内の空気が、ヒレ部と、ヒレ部が設けられている対向面が対向する対向面との間からサッシ枠と戸先框との隙間に流入したとしても、この空気が突出片に届きにくい構造となるため、室内の空気が突出片によって冷却されて結露したり、結露した水が凍結したりすることを抑制できる。
【００１１】
また、本発明に係るサッシ構造では、前記第１ヒレ部は、前記室外側サッシ障子が前記開口部を閉鎖している状態において、前記他方の第１対向面と一定の間隔をあけるように配置され、前記第２ヒレ部は、前記室内側サッシ障子が前記開口部を閉鎖している状態において、前記他方の第２対向面と一定の間隔をあけるように配置されていることが好ましい。
このような構成とすることにより、室内の空気が、サッシ枠と戸先框との隙間に入り込むことが確実に抑制されるため、室内の空気が突出片によって冷却されて結露したり、結露した水が凍結したりすることを確実に抑制できる。
【発明の効果】
【００１３】
本発明によれば、サッシ枠の対向面のうちの室内側の端部近傍に戸先框側へ突出するヒレ部が設けられていることにより、サッシ枠と戸先框との隙間と室内の空間との空気の流通が少なくなるため、サッシ枠と戸先框との隙間に室内の空気が入り込むことを抑制できる。
このため、室内外の温度差が大きい場合に、サッシ枠と戸先框との隙間に入り込んだ室内の暖かい空気が、室外の冷気によって冷却されたサッシ枠の突出部によって冷却されて結露したり、結露した水が凍結したりすることを抑制できる。
また、ヒレ部によって、サッシ枠と戸先框との隙間と、室内とを断熱できるため、サッシの断熱性能を向上させることができる。
【図面の簡単な説明】
【００１４】
【図１】本発明の実施形態によるサッシの一例を示す図で水平断面図である。
【図２】図１の室内側から見た正面図である。
【図３】第１縦框と室外側サッシ障子の戸先框を説明する図である。
【図４】第２縦框と室内側サッシ障子の戸先框を説明する図である。
【発明を実施するための形態】
【００１５】
以下、本発明の実施形態によるサッシ構造について、図１乃至図４に基づいて説明する。
図１および図２に示すように、本実施形態によるサッシ構造のサッシ１は、アルミニウムと樹脂の複合の引違窓のサッシで、建物１１（図１参照）の開口部１２に固定されたサッシ枠２と、サッシ枠２の内部に見付け方向（図中の矢印Ａの方向）にスライド可能に設置される室外側サッシ障子（サッシ障子）３Ａおよび室内側サッシ障子（サッシ障子）３Ｂと、を有している。
【００１６】
図２に示すように、サッシ枠２は、見付け方向に延在する上枠２１および下枠２２と、上下方向（図２の矢印Ｂの方向）に延在する一対の縦枠５，６と、を有している。ここで、一対の縦枠５，６のうち、室外側サッシ障子３Ａおよび室内側サッシ障子３Ｂが開口部１２を閉鎖している状態において、室外側サッシ障子３Ａの戸先框７と対向する縦枠５を第１縦枠（第１枠部）５とし、室内側サッシ障子３Ｂの戸先框８と対向する縦枠６を第２縦枠（第２枠部）６として以下説明する。
【００１７】
室外側サッシ障子３Ａおよび室内側サッシ障子３Ｂは、見付け方向に延在する上框３１，３１および下框３２，３２と、上下方向に延在する召合框３３，３３および戸先框７，８と、これらの框の内側に配置されるガラス３４，３４と、をそれぞれ有している。
ここで、サッシ枠２の第１縦枠５、第２縦枠６、室外側サッシ障子３Ａおよび室内側サッシ障子３Ｂの戸先框７，８以外は、公知の形態のものとして以下説明する。
【００１８】
図３に示すように、室外側サッシ障子３Ａの戸先框７は、室外１３側に配置される本体部（金属框）７１と、本体部７１に係止され本体部７１の室内１４側に配置されるカバー材（樹脂カバー）７２と、を有している。
【００１９】
本体部７１およびカバー材７２は、ともに室外側サッシ障子３Ａの全高さにわたって延在する部材で、本体部７１は、アルミニウムなどの金属を材料として形成されていて、カバー材７２は、本体部７１を形成する材料よりも熱伝導率の低い樹脂を材料として形成されている。
本体部７１は、見付け方向に第１縦枠５と対向する側に上下方向に延在する溝部７３が形成されていて、溝部７３の内部に中間振れ止め７４ａが設けられているとともに、溝部７３の近傍にパッキン（気密材）７４ｂが設けられている。
カバー材７２には、見込み方向（図中の矢印Ｃの方向、図２においては紙面に直交する方向）の室内１４側に面する框側対向面（一方の第１対向面）７５が形成されている。
【００２０】
図４に示すように、室内側サッシ障子３Ｂの戸先框８は、室外１３側に配置される本体部（金属框）８１と、本体部８１に係止され本体部８１およびガラス３４の端部近傍の室内１４側を覆うように設けられたカバー材（樹脂框）８２と、を備えている。
本体部８１およびカバー材８２は、ともに室内側サッシ障子３Ｂの全高さにわたって延在する部材で、本体部８１は、アルミニウムなどの金属を材料として形成されていて、カバー材８２は、本体部８１を形成する材料よりも熱伝導率の低い樹脂を材料として形成されている。
本体部８１は、見付け方向に第２縦枠６と対向する側に上下方向に延在する溝部８３が形成されていて、溝部８３の内部に中間振れ止め８４ａが設けられているとともに、溝部８３の近傍にパッキン（気密材）８４ｂが設けられている。
カバー材８２には、見込み方向の室内１４側に面する框側対向面（一方の第２対向面）８５が形成されている。
【００２１】
図３に示すように、第１縦枠５は、建物１１に固定されて板面が見付け方向を向く板状の本体部（金属枠）５１と、本体部５１から開口部１２の内側に向かうように見付け方向に突出し板面が見込み方向を向く突出片５２と、本体部５１に支持された框隠し材（樹脂枠）５３と、框隠し材５３の室内１４側を覆うように設けられたカバー材５４と、を有している。
本体部５１、突出片５２、框隠し材５３およびカバー材５４は、いずれもサッシ枠２の全高さにわたって延在する部材で、本体部５１および突出片５２は、アルミニウムなどの金属を材料として形成されていて、框隠し材５３およびカバー材５４は、本体部５１および突出片５２を形成する材料よりも熱伝導率の低い塩ビ（ＰＶＣ）などの樹脂を材料として形成されている。
【００２２】
突出片５２は、室外側サッシ障子３Ａの戸先框７の溝部７３に挿入可能で、溝部７３に挿入されると、先端部が中間振れ止め７４ａと当接し、側部にパッキン７４ｂが当接するように構成されている。そして、突出片５２の側部にパッキン７４ｂが当接することで、室内外の気密が保持されている。
框隠し材５３は、室外側サッシ障子３Ａが開口部１２を閉鎖している状態において、戸先框７の室内１４側に戸先框７と見込み方向に重なるように配置され、室内１４側から戸先框７が見えないように隠している。框隠し材５３の外周面には、見込み方向の室外１３側に面する枠側対向面（他方の第１対向面）５５が形成されている。
カバー材５４は、框隠し材５３の室内１４側に設けられている。
【００２３】
枠側対向面５５は、室外側サッシ障子３Ａの戸先框７の框側対向面７５と所定の間隔ｄ１の隙間（第１隙間）をあけて見込み方向に対向するように構成されている。
また、枠側対向面５５には、室外１３側に突出するヒレ部（第１ヒレ部）５６が設けられている。ヒレ部５６は、枠側対向面５５のうちの室内１４側の端部５５ａ近傍に設けられている。
ヒレ部５６は、第１縦枠５の略全高さにわたって延在する部材で、例えば軟質の塩ビ（ＰＶＣ）など、弾性変形可能な軟質樹脂で形成されている。
【００２４】
また、ヒレ部５６は、基端部５６ａと先端部５６ｂとの間に屈曲部５６ｃが設けられていて、水平断面形状が略Ｌ字状に形成されている。
ヒレ部５６のうちの基端部５６ａから屈曲部５６ｃまでの間の片は、枠側対向面５５から室外１３側に向かって漸次本体部５１側に向かう斜め方向に突出している。また、ヒレ部５６のうちの屈曲部５６ｃから先端部５６ｂまでの片は、屈曲部５６ｃから室内１４側に向かうように突出している。
【００２５】
図４に示すように、第２縦枠６は、建物１１に固定されて板面が見付け方向を向く板状の本体部（金属枠）６１と、本体部６１から開口部１２の内側に見付け方向に突出し板面が見込み方向を向く突出片６２と、本体部６１に支持されたカバー材（樹脂枠）６３と、を有している。
本体部６１、突出片６２、およびカバー材６３は、いずれもサッシ枠２の全高さにわたって延在する部材で、本体部６１および突出片６２は、アルミニウムなどの金属を材料として形成されていて、カバー材６３は、本体部６１および突出片６２を形成する材料よりも熱伝導率の低い塩ビ（ＰＶＣ）などの樹脂を材料として形成されている。
【００２６】
突出片６２は、室内側サッシ障子３Ｂの戸先框８の溝部８３に挿入可能で、溝部８３に挿入されると、先端部が中間振れ止め８４ａと当接し、側部にパッキン８４ｂが当接するように構成されている。そして、突出片６２の側部にパッキン８４ｂが当接することで、室内外の気密が保持されている。
カバー材６３は、室内側サッシ障子３Ｂが開口部１２を閉鎖している状態において、戸先框８の室内１４側に戸先框８と見込み方向に重なるように配置され、室内１４側から戸先框８が見えないように隠している。カバー材６３の外周面には、見込み方向の室外１３側に面する枠側対向面（他方の第２対向面）６４が形成されている。
【００２７】
枠側対向面６４は、室内側サッシ障子３Ｂの戸先框８の框側対向面８５と所定の間隔ｄ２の隙間（第２隙間）をあけて見込み方向に対向するように構成されている。
また、枠側対向面６４には、室外１３側に突出するヒレ部（第２ヒレ部）６５が設けられている。ヒレ部６５は、枠側対向面６４のうちの室内１４側の端部６４ａ近傍に設けられている。
ここで、枠側対向面６４のうちの室内１４側とは、枠側対向面６４と框側対向面８５との隙間のうち室内１４に近い側を示している。
ヒレ部６５は、第２縦枠６の略全高さにわたって延在する部材で、例えば軟質の塩ビ（ＰＶＣ）など、弾性変形可能な軟質樹脂で形成されている。
【００２８】
また、ヒレ部６５は、基端部６５ａと先端部６５ｂとの間に屈曲部６５ｃが設けられていて、水平断面形状が略Ｌ字状に形成されている。
ヒレ部６５のうちの基端部６５ａから屈曲部６５ｃまでの間の片は、枠側対向面６４から室外１３側に向かって漸次本体部６１側に向かう斜め方向に突出している。また、ヒレ部６５のうちの屈曲部６５ｃから先端部６５ｂまでの片は、屈曲部６５ｃから室内１４側に向かうように突出している。
【００２９】
第１縦枠５のヒレ部５６および第２縦枠６のヒレ部６５は、ともに、枠側対向面５５，６４と框側対向面７５，８５とが対向すると、屈曲部５６ｃ，６５ｃが框側対向面７５，８５と当接、または框側対向面７５，８５と一定のわずかな間隔をあけるように配置されている。なお、ヒレ部５６，６５は、框側対向面７５，８５を押圧しないように構成されている。
このため、室外側サッシ障子３Ａおよび室内側サッシ障子３Ｂが開口部１２を開閉するためにスライドしても、ヒレ部５６，６５と框側対向面７５，８５との摩擦が室外側サッシ障子３Ａおよび室内側サッシ障子３Ｂの開閉に影響しないように構成されている。
また、室外側サッシ障子３Ａおよび室内側サッシ障子３Ｂは、スライドすると、見込み方向へ振れて、框側対向面７５，８５が枠側対向面５５，６４に近接したり、枠側対向面５５，６４から離間したりするが、ヒレ部５６，６５は、框側対向面７５，８５と枠側対向面５５，６４との間隔ｄ１，ｄ２の変化に弾性変形して追従するように構成されている。
【００３０】
次に、上述したサッシ１のサッシ構造の作用・効果について図面を用いて説明する。
本実施形態によるサッシ１のサッシ構造では、枠側対向面５５，６４のうちの室内１４側の端部近傍に、戸先框７，８側へ突出するヒレ部５６，６５が設けられていることにより、枠側対向面５５，６４と框側対向面７５，８５との隙間と、室内１４の空間との空気の流通が少なくなるため、第１縦枠５および第２縦枠６と戸先框７，８との隙間に室内１４の空気が入り込むことを抑制できる。
【００３１】
このため、室内外の温度差が大きい場合に、第１縦枠５および第２縦枠６と戸先框７，８との隙間に入り込んだ室内１４の暖かい空気が、室外１３の冷気によって冷却された第１縦枠５および第２縦枠６の突出部によって冷却されて結露したり、結露した水が凍結したりすることを抑制できる。
また、ヒレ部５６，６５によって、第１縦枠５および第２縦枠６と戸先框７，８との隙間と、室内１４とを断熱できるため、サッシ１の断熱性能を向上させることができる。
【００３２】
また、ヒレ部５６，６５は、戸先框７，８の室内１４側に配置されていることにより、ヒレ部５６，６５が第１縦枠５および第２縦枠６の突出片５２，６２と離間するため、室内１４の空気が、ヒレ部５６，６５と戸先框７，８との間から第１縦枠５および第２縦枠６と戸先框７，８との隙間に流入したとしても、この空気が突出片５２，６２に届きにくい構造となるため、室内１４の空気が突出片５２，６２によって冷却されて結露したり、結露した水が凍結したりすることを抑制できる。
【００３３】
また、ヒレ部５６，６５の屈曲部５６ｃ，６５ｃ側は、戸先框７，８がスライド可能に当接していると、室内１４の空気が、第１縦枠５および第２縦枠６と戸先框７，８との隙間に入り込むことが確実に抑制されるため、室内１４の空気が突出片５２，６２によって冷却されて結露したり、結露した水が凍結したりすることを確実に抑制できる。
また、ヒレ部５６，６５が、框側対向面７５，８５と一定のわずかな間隔をあけるように配置されている場合は、このわずかな間隔から第１縦枠５および第２縦枠６と戸先框７，８との間の隙間に室内１４の空気が流入するため、室内１４の空気の流入量が少なく結露や凍結を抑制できる。また、第１縦枠５および第２縦枠６と戸先框７，８との間の隙間への空気の流入が緩やかになるため、突出片５２，６２近傍に達する前にヒレ部５６，６５側で結露し、突出片５２，６２近傍で凍結することを防止できる。
【００３４】
また、ヒレ部５６，６５は、弾性変形可能に構成されていることにより、室外側サッシ障子３Ａおよび室内側サッシ障子３Ｂが開口部１２を開閉するためにスライドする際に、室外側サッシ障子３Ａおよび室内側サッシ障子３Ｂが見込み方向へ振れて、枠側対向面５５，６４と框側対向面７５，８５との間隔ｄ１，ｄ２が変化したとしても、ヒレ部５６，６５が弾性変形して枠側対向面５５，６４と框側対向面７５，８５との間隔ｄ１，ｄ２の変化に追従できるため、室外側サッシ障子３Ａおよび室内側サッシ障子３Ｂの開閉をスムーズに行うことができる。
【００３５】
以上、本発明による凍結防止構造の実施形態について説明したが、本発明は上記の実施形態に限定されるものではなく、その趣旨を逸脱しない範囲で適宜変更可能である。
例えば、上記の実施形態では、サッシ縦枠５，６に形成された枠側対向面５５，６４にヒレ部５６，６５が設けられているが、枠側対向面５５，６４に代わって、戸先框７，８の框側対向面７５，８５にヒレ部が設けられて、このヒレ部が枠側対向面５５，６４側に突出していてもよい。また、枠側対向面５５，６４および框側対向面７５，８５の両方にヒレ部が設けられていてもよい。
また、上記の実施形態では、ヒレ部５６，６５は、枠側対向面５５，６４のうち室内１４側の端部近傍に設けられているが、これ以外の位置に設けられていてもよい。
【００３６】
また、上記の実施形態では、第１縦枠５の框隠し材５３は、室外側サッシ障子３Ａが開口部１２を閉鎖している状態において、室外側サッシ障子３Ａの戸先框７の室内１４側に戸先框７と見込み方向に重なるように配置され、室内１４側から戸先框７が見えないように隠しているが、框隠し材５３の召合框３３側の端面が、戸先框７の召合框３３側の端面よりも第１縦枠５の本体部５１側に位置し、戸先框７の召合框３３側の部分が室内１４側に露出していてもよい。
また、上記の実施形態では、第２縦枠６のカバー材６３は、室内側サッシ障子３Ｂが開口部１２を閉鎖している状態において、室内側サッシ障子３Ｂの戸先框８の室内１４側に戸先框８と見込み方向に重なるように配置され、室内１４側から戸先框８が見えないように隠しているが、カバー材６３の召合框３３側の端面が、戸先框８の召合框３３側の端面よりも第２縦枠６本体部６１側に位置し、戸先框７の召合框３３側の部分が室内１４側に露出していてもよい。
【００３７】
また、上記の実施形態では、サッシ１は、引違窓のサッシであるが、引違窓のサッシに限らず、上げ下げ窓のサッシなど、サッシ枠２が室外側サッシ障子３Ａおよび室内側サッシ障子３Ｂをスライド可能に支持するサッシであればよい。
また、上記の実施形態では、アルミニウムなどの金属と樹脂の複合サッシであるが、アルミニウムなどの金属製のサッシや樹脂サッシ等としてもよい。なお、金属製サッシの場合、樹脂を材料として形成されたカバー材５４，６３，７２，８２の代わりに、金属製のカバー材が設けられていてもよい。
【００３８】
また、上記の実施形態では、ヒレ部５６，６５は、弾性変形可能な軟質樹脂で形成されているが、板部と連続する部分（基端部５６ａ，６５ａ）が弾性変形可能な軟質樹脂で形成されていて、これ以外の部分は硬質樹脂で形成されていて、ヒレ部５６，６５が基端部５６ａ，６５ａを軸として回動可能に構成されていてもよい。このような場合も、ヒレ部５６，６５は、基端部５６ａ，６５ａを軸として回動することで、框側対向面７５，８５と枠側対向面５５，６４との間隔の変化に追従できる。
また、上記の実施形態では、ヒレ部５６，６５は、水平断面形状が略Ｌ字状に形成されているがこれ以外の形状でもよい。
また、上記の実施形態では、框側対向面７５，８５は、戸先框７，８の室内１４側の端面に配置され、枠側対向面５５，６４は、框側対向面７５，８５の室内１３側に配置されて、框側対向面７５，８５と枠側対向面５５，６４とは、見込み方向に対向しているが、框側対向面７５，８５および枠側対向面５５，６４が配置される位置は任意に設定されてよく、框側対向面７５，８５と枠側対向面５５，６４とは、見込み方向に対して斜めに対向していたり、見付け方向に対向していたりしてもよい。
【符号の説明】
【００３９】
１  サッシ
２  サッシ枠
３Ａ  室外側サッシ障子（サッシ障子）
３Ｂ  室内側サッシ障子（サッシ障子）
５  第１縦枠（縦枠）
６  第２縦枠（縦枠）
７，８  戸先框
１２  開口部
１３  室外
１４  室内
５２，６２  突出片
５５  枠側対向面（第１対向面）
５６  ヒレ部（第１ヒレ部）
５６ａ  基端部（第１基端部）
５６ｂ  先端部（第１先端部）
５６ｃ  屈曲部（第１屈曲部）
６４  枠側対向面（第２対向面）
６５  ヒレ第２部
６５ａ  基端部（第２基端部）
６５ｂ  先端部（第２先端部）
６５ｃ  屈曲部（第２屈曲部）
７５  框側対向面（第１対向面）
８５  框側対向面（第２対向面）
ｄ１，ｄ２  間隔
【図１】
0006466649.tif 000002
【図２】
0006466649.tif 000003
【図３】
0006466649.tif 000004
【図４】
0006466649.tif 000005